(57)【要約】【課題】器物の汚れ面で働く力を汚れの剥離動力とした洗浄剤を提供する。【解決手段】水不溶の多価金属水酸化物スラリーを含有する洗浄剤である。【選択図】  図１
2005008749.tif 000002
【特許請求の範囲】
【請求項１】
水不溶の多価金属水酸化物スラリーを含有する洗浄剤。
【請求項２】
亜鉛酸化物または亜鉛水酸化物を分散含有する洗浄剤。
【請求項３】
アルミニウム水酸化物を分散含有する洗浄剤。
【請求項４】
金属を電気分解して、水不溶の多価金属水酸化物スラリーを生成する洗浄剤供給装置。
【請求項５】
陽極を金属亜鉛で形成し、前記陽極と水中で対向配置した陰極との間に直流電圧を印加して亜鉛水酸化物スラリーを生成する洗浄剤供給装置。
【請求項６】
陽極を金属アルミニウムで形成し、前記陽極と水中で対向配置した陰極との間に直流電圧を印加してアルミニウム水酸化物スラリーを生成する洗浄剤供給装置。
【請求項７】
請求項４〜６のいずれかに記載の洗浄剤供給装置から洗浄剤を供給する洗濯機。
【発明の詳細な説明】
【０００１】
【発明の属する技術分野】
本発明は、器物表面を水系で洗浄する洗浄剤および洗浄剤供給装置および洗濯機に関するものである。
【０００２】
【従来の技術】
自然界の汚れ物質の大部分は陰イオン性である。例をあげれば、土粒はケイ酸の陰イオン性である。細菌やカビなどの微生物は、細胞表層にカルボキシル基を有する陰イオン性の粒子である。タンパクの殆どは、陽イオン性のアミノ基に対し過剰のカルボキシル基を有し、全体として陰イオン性である。多糖も陽イオン性のものは稀で、殆どが陰イオン性である。核酸も陰イオン性である。脂質も遊離の脂肪酸のために通常陰イオン性である。そして、これらの汚れ物質を洗浄除去する洗浄剤は、界面活性剤、アルカリ剤、キレート剤などを主剤としている（例えば、非特許文献１参照）。
【０００３】
【非特許文献１】
辻  薦著「洗浄と洗剤」地人書館、１９９２年１０月１日
【０００４】
【発明が解決しようとする課題】
このような従来の洗浄剤では、カルシウム、マグネシウムなどの多価の陽イオンは、界面活性剤の主力であるアニオン系界面活性剤とイオン結合して界面活性作用を阻害し、上述の汚れ成分とは架橋的にイオン結合して凝集・不溶化を起こし、溶解・分散が必要な洗浄除去に阻害的に働く。そのために、多価の陽イオンを補足し作用しないようにする目的で、キレート剤が配合される。一方、汚れ物質と多価の陽イオンの凝集反応は、被洗物である器物の表面で、イオン結合による強い力を働かしえることを示している。
【０００５】
本発明は、この器物の汚れ面で働く強い力を、汚れの剥離動力とした洗浄剤の提供を第１の目的とする。第２の目的は、この洗浄剤を生成する洗浄剤供給装置を提供することである。第３の目的は、この洗浄剤供給装置により洗濯機の洗浄が行えるようにすることである。
【０００６】
【課題を解決するための手段】
上記第１の目的を達成するために本発明は、多価金属の水酸化物が水に分散したスラリーを洗浄剤としたものである。これにより、器物の汚れ面と多価金属水酸化物の固形物とが接触して、汚れ物質と多価金属水酸化物の間にイオン結合が生じる。このとき、汚れ物質が多価金属水酸化物を核として凝集し、多価金属水酸化物側に巻き取られて、汚れ物質が器物表面から剥離する。
【０００７】
第２の目的を達成するために本発明は、金属を電気分解して、水不溶の多価金属水酸化物スラリーを生成するようにした洗浄剤供給装置である。これにより、多価金属水酸化物スラリーを含有した洗浄剤を生成し、供給することができる。
【０００８】
第３の目的を達成するために本発明は、上記洗浄剤供給装置から洗浄剤を洗濯機に供給するようにしたものである。これにより、洗濯機の内槽および外槽を洗浄することができる。
【０００９】
【発明の実施の形態】
請求項１に記載の発明は、水不溶の多価金属水酸化物スラリーを含有する洗浄剤であり、多価金属水酸化物の固形物と汚れ物質の接触により、汚れ物質と多価金属水酸化物の間にイオン結合が生じて、汚れ物質を器物表面から剥離することができる。
【００１０】
請求項２に記載の発明は、亜鉛酸化物または亜鉛水酸化物を分散含有する洗浄剤であり、汚れ物質との間に生じるイオン結合を、汚れの剥離動力とした洗浄剤を得ることができる。
【００１１】
請求項３に記載の発明は、アルミニウム水酸化物を分散含有する洗浄剤であり、汚れ物質との間に生じるイオン結合を、汚れの剥離動力とした洗浄剤を得ることができる。
【００１２】
請求項４に記載の発明は、金属を電気分解して、水不溶の多価金属酸化物スラリーを生成する洗浄剤供給装置であり、汚れ物質との間に生じるイオン結合を、汚れの剥離動力とした洗浄剤を生成し、供給することができる。
【００１３】
請求項５に記載の発明は、陽極を金属亜鉛で形成し、前記陽極と水中で対向配置した陰極との間に直流電圧を印加して亜鉛水酸化物スラリーを生成する洗浄剤供給装置であり、汚れ物質との間に生じるイオン結合を、汚れの剥離動力とした洗浄剤を生成し、供給することができる。
【００１４】
請求項６に記載の発明は、陽極を金属アルミニウムで形成し、前記陽極と水中で対向配置した陰極との間に直流電圧を印加してアルミニウム水酸化物スラリーを生成する洗浄剤供給装置であり、汚れ物質との間に生じるイオン結合を、汚れの剥離動力とした洗浄剤を生成し、供給することができる。
【００１５】
請求項７に記載の発明は、上記請求項４〜６のいずれかに記載の洗浄剤供給装置から洗浄剤を供給する洗濯機であり、汚れ物質との間に生じるイオン結合を、汚れの剥離動力とした洗浄剤によって、洗濯機の内槽および外槽を洗浄することができる。
【００１６】
【実施例】
以下本発明の実施例について、図面を参照しながら説明する。
【００１７】
（実施例１）
図１は本発明の洗浄剤の剥離原理を示したものである。図１（ａ）は基壁と亜鉛水酸化物と汚れとの関係を示す。１は多価金属の水酸化物である、亜鉛水酸化物の不溶性の固形物を示す。２は基材であり材質はポリプロピレンを想定している。３は基壁であって、その上に汚れ物質４が層状に付着している。汚れ物質４は陰イオン性であって、亜鉛水酸化物を作用させる水系の環境では、汚れ物質４の解離基はその親水性のために水側（図１では上側）を向く。
【００１８】
同（ｂ）は、亜鉛水酸化物１が基壁３の汚れ物質４に接触した場合を示す。亜鉛水酸化物１が有する陽イオンは、汚れ物質４の陰イオンと結合するために、亜鉛水酸化物１側に引き付けられて、基壁３から剥離する力が生じ、亜鉛水酸化物１を核として巻き取られて、脱離するのである。言い換えると、汚れと基壁の界面張力と、汚れと亜鉛水酸化物接触面の界面張力との張力差で汚れ物質４が基壁３から取れやすくなる。
【００１９】
ここでは汚れ物質４が陰イオンであることを想定しているが、実際に自然界の汚れ物質の大部分は陰イオン性である。例をあげれば、土粒はケイ酸の陰イオン性である。細菌やカビなどの微生物は、細胞表層にカルボキシル基を有する陰イオン性の粒子である。タンパクの殆どは、陽イオン性のアミノ基に対し過剰のカルボキシル基を有し、全体として陰イオン性である。多糖も陽イオン性のものは稀で、殆どが陰イオン性である。核酸も陰イオン性である。脂質も遊離の脂肪酸のために通常陰イオン性である。このように、汚れ物質が陰イオンであるため、本発明の洗浄剤が洗浄効果を発揮し得る。また、亜鉛の酸化物（亜鉛華）は水にけん濁しておくと水酸化物に変化し同様の洗浄効果を発揮する。
【００２０】
同（ｃ）は、マグネシウムの水酸化物５の作用を示す。マグネシウムは水溶性が高く、多くがマグネシウムイオンとして溶解している。そのため、汚れに対して、固形物ではなく単独のマグネシウム陽イオンとして先にイオン結合する。その結果は、汚れ物質の陰イオンがマスクされるだけである。先述の亜鉛とマグネシウムの違いは、亜鉛とマグネシウムの溶解度の違いであって、水溶性が低いために水酸化物の固形物で大部分が存在する亜鉛では固形物を核とした剥離力が働く。本発明が成り立つためには、固形物であることが必要である。
【００２１】
同（ｄ）は、基材６が亜鉛水酸化物１を吸着する材質の場合であって、この場合は、亜鉛水酸化物１自体が基壁７に残るという問題が発生する。従って、被洗物である基材６の材質は、不活性であって、亜鉛を吸着残留しないものが望ましい。例示したポリプロピレンやポリエチレンなどの樹脂材料は洗浄しやすい材料である。緻密な不動態膜で覆われたステンレスは、活性基が少なく比較的洗浄しやすい。ガラスなどの表面は、亜鉛が吸着しやすく、洗浄も困難である。
【００２２】
（実施例２）
この実施例は、多価金属の水酸化物をアルミニウム水酸化物としたものである。他の構成および洗浄原理は上記実施例１と同じであり、説明は省略する。このアルミニウム水酸化物を分散含有する洗浄剤の場合も、亜鉛水酸化物を分散含有する洗浄剤と同様に、器物の汚れ面で働く強い力を、汚れの剥離動力とした洗浄剤を得ることができる。
【００２３】
（実施例３）
図２は本発明の洗浄剤供給装置を示したものである。図２において、１１は金属亜鉛製の陽極で平板状に形成している。１２は陽極１１に対向して配設したステンレス鋼製の陰極で平板状に形成している。１３は上記陽極１１および陰極１２を設けた電解室で、この電解室１３に水を流入する入水口１４と、陽極１１および陰極１２の間を通過した水を流出する出水口１５を設けている。
【００２４】
水を介して対向配置した陽極１１および陰極１２との間に直流電圧を印加する電源１６の印加により、陽極１１の亜鉛は酸化され、さらに電解室１３内の水と反応して、水酸化物のスラリーを生成する。陰極１２では、水素イオンが還元されて水素ガスを発生する。これら電極反応の生産物が水の流れに乗って出水口１５から流出する。本発明の洗浄剤供給装置は、この流出水を洗浄剤として使用する。
【００２５】
（実施例３）
この実施例は、陽極を金属アルミニウムで形成し、陰極との間に直流電圧を印加してアルミニウム水酸化物スラリーを生成するようにしたものである。他の構成および洗浄原理は上記実施例２と同じであり、説明は省略する。
【００２６】
このアルミニウム水酸化物スラリーの場合も、亜鉛水酸化物スラリーと同様に、器物の汚れ面で働く強い力を、汚れの剥離動力とした洗浄剤を得ることができる。
【００２７】
（実施例４）
図３は本発明の洗浄剤供給装置から洗浄剤を供給するようにした洗濯機である。図３において、２１は洗濯水を溜める外槽、２２は衣類を納める内槽で外槽２１内に設けられている。２３は内槽２２内に納めた衣類および洗濯水を攪拌するパルセータで、内槽２２とパルセータ２３はモータ２４をもって回転駆動する。以上の構成の電気式洗濯機に洗浄剤供給装置２５を接続し、水道栓２６よりの水を通水して、外槽２１、内槽２２、パルセータ２３に対し洗浄剤を供給する。洗濯水は水道栓２６から浄剤供給装置２５を通らずに水路２７を経て洗濯機へ供給され、その水経路の切り換えはバルブ（図示せず）によって行われる。
【００２８】
ここで本発明の洗浄剤の被洗物は洗濯機の外槽２１、内槽２２、パルセータ２３などの部材表面である。これらの部材表面は、電気式洗濯機の本来機能である、衣類の洗濯時に衣類から溶出される脂質やタンパクなどの皮脂汚垢や、衣類用洗剤に由来する脂肪酸（石鹸分）、キレート剤として配合されているゼオライトなどの陰イオン性物質の複合物が付着している。さらに、長期使用の間には、これらを栄養源として細菌、カビ、酵母などの微生物が生育して微生物膜を形成する。この微生物も汚れ物質である。いずれも陰イオン性の物質であって、本発明の洗浄剤はこれらの汚れ物質とイオン結合を作って凝集させ剥離させ、長年月の洗濯機の使用によっても洗濯機内部の清浄性が保たれる。
【００２９】
なお、上記実施例４は洗濯機に洗浄剤供給装置を外付けで接続することによって実施できるほか、洗濯機本体に洗浄剤供給装置を内蔵して実施することができるものであり、いずれであってもよい。また、いずれの場合も洗浄剤供給装置は洗濯機本体に着脱自在に構成することが可能であり、洗浄剤供給装置から洗浄剤が洗濯機の洗浄部分に供給されるものであればよい。
【００３０】
【発明の効果】
以上のように請求項１〜３に記載の発明によれば、器物表面の汚れ物質とイオン結合を作って凝集させ剥離させることができる。
【００３１】
また、請求項４〜６に記載の発明によれば、汚れ物質との間に生じるイオン結合を、汚れの剥離動力とした洗浄剤を生成し、供給することができる。
【００３２】
また、請求項７に記載の発明によれば、洗濯機の内部を清浄にすることができる。
【図面の簡単な説明】
【図１】（ａ）本発明の洗浄剤の剥離原理を示す水酸化物と汚れとの関係図
（ｂ）同水酸化物が汚れと接触した場合の作用図
（ｃ）マグネシウム水酸化物の作用図
（ｄ）水酸化物が吸着する場合の作用図
【図２】本発明の実施例３の洗浄剤供給装置の構成図
【図３】本発明の実施例４の洗濯機の構成図
【符号の説明】
１  亜鉛水酸化物
２  基材
３  基壁
４  汚れ物質
５  マグネシウム水酸化物
１１  陽極
１２  陰極
１３  電解室
１４  入水口
１５  出水口
１６  電源
２１  外槽
２２  内槽
２３  パルセータ
２４  モータ
２５  洗浄剤供給装置
２６  水道栓
２７  水路
【図１】
2005008749.tif 000003
【図２】
2005008749.tif 000004
【図３】
2005008749.tif 000005